(57)【特許請求の範囲】
【請求項１】
屋根裏に形成された小屋裏空間と、この小屋裏空間の空気を換気する小屋裏換気部と、床下に形成された床下空間と、この床下空間の空気を換気する床下換気部と、前記両空間を連通する壁体内通気層を有する壁体と、を備えた２層以上の階を有する建築物において、
少なくとも外周基礎の上方に位置する各階の内装材と外装材とで挟まれる壁体内の厚みが上層の階ほど下層の階より狭くなるように設定し、
これにより、前記各階に画成される前記壁体内通気層の気積を、上層の階ほど下層の階より小さくなるように設定したことを特徴とする建築物。
【請求項２】
前記壁体内通気層の外側に断熱層を設けることにより、前記壁体内通気層の外側に外側通気層を設けたことを特徴とする請求項１に記載の建築物。
【請求項３】
上下に隣接する前記各階の前記壁体内通気層同士を連通させるために前記外周基礎上の土台または胴差などに設けられる連通用開口部は、下位に隣接する上下階、例えば１，２階の前記壁体内通気層間を連通させるために設けた前記連通用開口部の単位面積あたりの開口面積の総和が、上位に隣接する上下階、例えば、２，３階の前記壁体内通気層間を連通させるために設けた前記連通用開口部の単位面積あたりの開口面積の総和に比べて大きくなるように設定したことを特徴とする請求項１または２に記載の建築物。
【請求項４】
前記連通部を構成する前記土台または胴差における開口部に、所定温度を越えた温度では発泡膨張する耐火性発泡剤を配設したことを特徴とする請求項１〜３のいずれかに記載の建築物。
【発明の詳細な説明】
【技術分野】
【０００１】
本発明は通気性を有する建築物に関する。
【背景技術】
【０００２】
建築物の高気密・高断熱化を図るために、建築物全体を包括的に囲繞するように断熱材が張設される建築物が開発されている。
このような建築物によれば、省エネ効果があるのは勿論のこと、外気温の影響が小さいので、室内温度を一定に維持することができ、人工的に効率良く冷暖房をコントロールすることが可能となる。
【０００３】
一方、高気密・高断熱化された建築物を、例えば、そのまま温暖な地域に構築すると、熱ごもり、さらにはダニ、カビなどが発生、ひいてはシロアリの温床などになる虞があるとともに、壁内などの躯体内に起きる結露が原因で構造材が損傷を受け、建築物の劣化が早められてしまう。
【０００４】
そこで、高気密・高断熱の性能をそのまま確保しながら、さらに居住性を向上させるために、躯体内に空気通路を設けた建築物が提供され、好評を博している（例えば、特許文献１）。
【０００５】
また、近年の木造建築物では、例えば、３階建て、しかも小屋裏空間を備えた建築物もあり、木造住宅が高層化の傾向にある。
図４は、このような高層住宅で、しかも通気性を備えた木造建築物２を示したものである。
【０００６】
この木造建築物２では、壁体の内部に空気通路４が形成され、この空気通路４を介して図中矢印で示したように、床下空間６から屋根裏空間８までの壁体空間が常時連通するように構成されている。そして、小屋裏空間８には、外部に連通する小屋裏換気部１２が具備され、この小屋裏換気部１２を介して床下空間６から導入された空気が外部に排出される構造となっている。
【０００７】
このような建築物２によれば、壁の内部に空気の流れを生じさせることができることから、冬には暖気を伝達し、夏には排熱・排湿及び通気の役目を果たすことが可能となり、同時にダニ、カビの発生を防止し、シリアリの付き難い環境を作ることができる。
【特許文献１】特開２００３−１１９９１８号公報
【発明の開示】
【発明が解決しようとする課題】
【０００８】
ところで、このような建築物２では、床下空間６内に外気を導入するための床下換気部１０が、小屋裏空間８に小屋裏換気部１２が、それぞれ設けられている。これらの換気部１０，１２は、具体的には開閉可能なダンパで構成されており、通常一方のダンパが開とされる場合に、他方のダンパも開として使用される。
【０００９】
例えば、夏場などにおいて、小屋裏換気部１２から外部に排熱・排湿したい場合に、床下換気部１０も開とされ、床下換気部１０から常に新たな外気が導入されるとともに各階における壁体内に収容された空気が速やかに上層側に導出され、最終的には小屋裏換気部１２から屋外へ排出される。
【００１０】
ところが、従来このような通気性を備えた建築物２では、例えば、１Ｆ，２Ｆ，３Ｆで内装材１８と断熱材２０とで仕切られた空気通路４（壁体内通気層４）の幅ｔ１、ｔ２、ｔ３は、多くの建築物は略一定である。これは、主に、１Ｆ、２Ｆ、３Ｆに使用される土台１３、柱１４、胴差１６などが、皆同じ幅の角材が使用されていることに起因するが、壁体内通気層４の幅ｔ１、ｔ２、ｔ３が一定であるということは、換言すれば、１Ｆ，２Ｆ，３Ｆにおける壁体内通気層４の気積Ａ１，Ａ２，Ａ３が、通常の大壁構造の建築物においては、略同じであることを意味している。
【００１１】
したがって、従来の通気性を備え、かつ高気密・高断熱化された建築物２において、気候にあわせて暑い場合に小屋裏換気部１２から換気を行なうと、全ての壁体内通気層４を同じ割合で上方に換気してしまうことになる。これは小屋裏換気部１２から自然換気を行なう場合であれ、強制換気を行なう場合であれ同様である。
【００１２】
すなわち、通気性を備えた従来の建築物２では、各階における壁体内通気層４の換気回数の制御を行なうことが出来ない構造であるため、最も換気回数の多く必要な階に合わせた換気回数が必要となるため、ある階の壁体内通気層４では必要以上の換気を行なわなければならない。
【００１３】
ここで、建築物では、特に夏の場合、床下空間に近い壁内などでは、建物内で相対的に冷気溜まりとなるため、下層の階は壁体内の換気は少ない方が良い。逆に、上層の階や小屋裏空間は日射等で温度上昇が大きくなるため、換気回数は多い方が良い。したがって、上層の階に適合させた適正換気を行なうと、下層の階では冷気を早く逃がしてしまうという問題があった。言い換えれば、上層階の壁内換気に大量の空気が必要であった。
【００１４】
一方、冬の場合、建築物では、上層の階や小屋裏空間で暖気が溜まり易く、反対に下層の階や床下空間で暖気は溜まり難い。したがって、従来の建築物２では、各階の壁内換気回数が同じであるために、夏冬とも居住のための温熱環境を整える上で壁内温度のコントロールも改善課題であった。
【００１５】
本発明は、このような実情に鑑み、通気性を備えた建築物において、高気密・高断熱化を図ることが可能でありながら、夏場などにおいて熱ごもりとなる上層の階ほど壁体内通気層内の空気を早く、下層の階ほど壁体内通気層内の空気をゆっくりと、入れ替えることのできる建築物を提供することを目的としている。
【課題を解決するための手段】
【００１６】
上記目的を達成するための本発明に係る建築物は、
屋根裏に形成された小屋裏空間と、この小屋裏空間の空気を換気する小屋裏換気部と、床下に形成された床下空間と、この床下空間の空気を換気する床下換気部と、前記両空間を連通する壁体内通気層を有する壁体と、を備えた２層以上の階を有する建築物において、
少なくとも外周基礎の上方に位置する各階の内装材と外装材とで挟まれる壁体内の厚みが上層の階ほど、下層の階より狭くなるように設定し、
これにより、前記各階に画成される前記壁体内通気層の気積を、上層の階ほど下層の階より小さくなるように設定したことを特徴としている。
【００１７】
ここで、「壁体内の厚みが上層の階ほど、下層の階より狭くなるように設定」するとは、例えば、３階建ての建物の場合、最上階の３階を除いた１階と２階の壁体の厚みが等しくて、最上階である３階の壁体の厚さのみが１，２階の壁体の厚さよりも狭い場合を含んでいる。
【００１８】
すなわち、
１Ｆ，２Ｆ，３Ｆの厚みをそれぞれｔ１、ｔ２、ｔ３としたとき、
ｔ１≧ｔ２≧ｔ３（ｔ１＞ｔ３）となるように設定されている。
【００１９】
また、「前記壁体内通気層の気積を、上層の階ほど下層の階より小さくなるように設定」するとは、例えば、３階建ての建物の場合、最上階の３階を除いた１階と２階の壁体内通気層の気積が等しくて、最上階である３階の壁体内通気層の気積のみが１、２階の壁体内通気層の気積よりも小さい場合を含んでいる。
【００２０】
すなわち、
１Ｆ，２Ｆ，３Ｆの壁体内通気層の気積をそれぞれＡ１，Ａ２，Ａ３としたとき、
Ａ３≦Ａ２≦Ａ１（Ａ３＜Ａ１）となるように設定されている。
【００２１】
係る構成による本発明によれば、換気を行なう壁体内の気積を、小屋裏空間に近い上層の階ほど下層の階に比べて小さく設定することができる。
したがって、熱のこもりやすい上層の階の換気回数を多くすることができるとともに、下層の階の換気回数を少なくすることができる。
【００２２】
ここで、本発明では、前記壁体内通気層の外側に断熱層を設けることにより、前記壁体内通気層の外側に外側通気層を設けることが好ましい。
このような構成であれば、下層階の冷気だまり効果，上層階の暖気だまり効果を、より一層向上させることができる。
【００２３】
さらに本発明では、上下に隣接する前記各階の前記壁体内通気層同士を連通させるために前記外周基礎上の土台または胴差などに設けられる連通用開口部は、下位に隣接する上下階、例えば１，２階の前記壁体内通気層間を連通させるために設けた前記連通用開口部の単位面積あたりの開口面積の総和が、上位に隣接する上下階、例えば、２，３階の前記壁体内通気層間を連通させるために設けた前記連通用開口部の単位面積あたりの開口面積の総和に比べて大きくなるように設定することが好ましい
ここで、「下位に隣接する上下階、例えば１，２階の前記壁体内通気層間を連通させるために設けた前記連通用開口部の単位面積あたりの開口面積の総和が、上位に隣接する上下階、例えば、２，３階の前記壁体内通気層間を連通させるために設けた前記連通用開口部の単位面積あたりの開口面積の総和に比べて大きくなるように設定」するとは、例えば、３階建ての建物の場合、最上階の３階を除いた１階と２階の開口面積の総和が等しくて、最上階である３階の開口面積の総和のみが１，２階の開口面積の総和よりも小さい場合を含んでいる。
【００２４】
また、本発明では、
床下空間と１Ｆの壁体内通路との間を連通する開口部の径をα０、１Ｆと２Ｆの間の胴差などに形成される開口部の径をα１、２Ｆと３Ｆの間の胴差などに形成される開口部の径をα２、３Ｆと小屋裏空間４ｆの間の胴差などに形成される開口部の径をα３としたとき、
α０≧α１≧α２≧α３（α０＞α３）となるように設定されている。
【００２５】
このような条件に基づいて
床下空間と１Ｆの間の開口面積の総和≧１Ｆと２Ｆの間の開口面積の総和≧２Ｆと３Ｆの間の開口面積の総和≧３Ｆと小屋裏空間４ｆの間の開口面積の総和
となっている。
【００２６】
また、換気回数の多い壁には、小さい通気部を設けることが好ましい。これは、上層階
から下層階までの全空気抵抗を抑制することができ、小屋裏に設けたダンパー、換気扇、ファンなどへの負荷軽減にもつながる。
【００２７】
このような構成であれば、前記小屋裏空間の前記小屋裏換気部から所定量の空気を換気する場合に、最上階に近いほど前記壁体内通気層から速やかに換気を行なうことができる。すなわち、上階ほど、空気流速を速くし、これにより、壁内ひいては外壁を通して室内に進入する熱を速やかに排出することができる。また、このような構成であれば、１階などの下層の階で火事が生じたとしても、上階への延焼を抑制することができる。さらに、その火災時に、下階から上階に圧力が作用しても上階への火熱の上昇を遅くできる効果がある。
【００２８】
また、本発明では、前記連通部を構成する前記土台または胴差における開口部に、所定温度を越えた温度では発泡膨張する耐火性発泡剤を配設することが好ましい。
このような構成であれば、万が一の火災が生じた場合などに、延焼を阻止することができる。
【発明を実施するための最良の形態】
【００２９】
以下、図面に示した実施例を参照しながら本発明を説明する。
図１は本発明の一実施例に係る建築物３０を示したもので、特に、小屋裏空間４ｆを備えた３階建ての建築物を示している。
【００３０】
この建築物３０では、外周布基礎２８の外側と、建築物の外壁材３２ａおよび屋根材３２ｂの室内側に、基礎、壁、屋根用の断熱材３４が、それぞれ面方向に張り巡らされている。なお、基礎、屋根に関しては、図示とは異なり基礎内断熱あるいは軒上断熱であっても良い。
【００３１】
上記外壁材３２ａとしては、モルタル壁、サイディング壁、コンクリート壁等が例示されるが、その他の壁材であっても良い。また、屋根材３２ｂとしては、かわら屋根材、スレート屋根材、金属板平ぶき屋根材等が例示されるが、その他の屋根材であっても良い。
【００３２】
上記断熱材３４としては、グラスウールなどの繊維状断熱材を板状に成形したものでも良いが、取り扱い等を考慮すると、合成樹脂発泡断熱板が好ましく、ポリスチレン、ポリエチレン、ポリ塩化ビニル等の合成樹脂を発泡することにより形成される独立気泡を有する樹脂発泡体の板であることが好ましい。なかでも高度の剛性と断熱性および透湿抵抗の高いポリスチレンの押出し発泡板を用いるのが効果的である。また、断熱材と軸組みとの間には、ツーバイフォーのように、合板等の面材があっても良い。さらに、断熱材３４として、グラスウール、ロックウール等を板状に形成させた繊維系のものも使用する場合は、原則として断熱材の室内側へ密着させて防湿層を併用しないと結露が発生しやすくなる。
【００３３】
このような断熱材３４は、壁あるいは屋根部では、構造躯体の外側に張設され、外断熱が構築されている。
一方、本実施例の建築物３０では、使用される柱及び縦材の寸法（幅）が各階ごとで異なっており、上の階にいくほど壁体の厚みｔが細くなっている。
【００３４】
すなわち、土台３６の上に立設される１Ｆの柱３８を基準とすれば、１Ｆの柱３８は２Ｆの柱４０より太く、２Ｆの柱４０は３Ｆの柱４２よりも太い。
このように建築物３０における柱３８，４０，４２の幅を、上の階ほど細く、下の階ほど太く設定することにより、各階の壁体の厚さｔが異なるように設定されている。すなわち、
１Ｆ，２Ｆ，３Ｆの壁厚をそれぞれｔ１、ｔ２、ｔ３としたとき、
ｔ１≧ｔ２≧ｔ３（ｔ１＞ｔ３）
となるように設定されている。
【００３５】
また、この建築物３０では、図２に拡大して示したように、上下に隣接する２つの階、例えば、２Ｆと３Ｆの間を仕切るように配置される胴差４６などには、上下の階を連通させるために、壁体の長さ方向に渡って連通用開口部４８が所定間隔置きに形成されている。この連通用開口部４８は、図２（Ａ）のＢ−Ｂ線方向の断面である図２（Ｂ）に示したように、水平方向に延びる胴差４６に丸孔を形成したものであっても良い。なお、丸孔を設ける場合には、直径２０〜４０ｍｍであることが好ましい。あるいは図２（Ｃ），（Ｄ）にそれぞれ示したように、断熱材３４に当接する矩形の切欠き、あるいは、半円状の長孔であっても良い。
【００３６】
このように、例えば、２Ｆと３Ｆの境に外周を囲繞するように配置される胴差４６と同様に、本実施例では、１Ｆと２Ｆの間に配置される胴差４４、３Ｆと小屋裏空間４ｆとの間に配置される胴差５０にも、連通用開口部４７，４９がそれぞれ形成されている。
【００３７】
また、これら開口部４７，４８，４９は、下層に位置する開口ほど径が大きく設定されている。すなわち、開口部４７，４８，４９のうち開口部４９の径が最も小さく、開口部４７の径が最も大きくされている。さらに、土台３６と床下空間６０との間にも開口部４５が形成されている。そして、この床下空間６０と１Ｆの壁体内通路６２との間を連通する開口部４５の径をα０、開口部４７の径をα１、開口部４８の径をα２、開口部４９の径をα３としたとき、
α０≧α１≧α２≧α３（α０＞α３）となるように設定されている。
【００３８】
また、これら開口部４５、４７，４８，４９の単位面積当たりの開口面積の総和は、上位に隣接する開口部の総和ほど小さい。例えば、小屋裏空間４ｆと３Ｆとの間の開口部４９の単位面積当たりの開口面積の総和の方が、３Ｆと２Ｆの間の開口部４８の開口面積の総和に比べて小さい。このようにして、開口面積４９の総和≦開口面積４８の総和≦開口面積４７の総和≦開口面積４５の総和となっている。
【００３９】
このように設定されるが、１Ｆから３Ｆの壁内を通過する空気量は、それぞれ等しく、上層の階にいくほど、壁内の換気は早く行なえるようになっている。すなわち、１Ｆ，２Ｆ，３Ｆの壁体内通気層６２，６４，６６の気積をそれぞれＡ１，Ａ２，Ａ３としたとき、
Ａ３≦Ａ２≦Ａ１（Ａ３＜Ａ１）となるように設定され、これにより、上層の階ほど換気が早く行なえるようになっている。
【００４０】
すなわち、
１Ｆ，２Ｆ，３Ｆの換気回数を、それぞれｎ１，ｎ２，ｎ３としたとき
n1≦ｎ２≦n3(n１<n3)となるように設定されている。
【００４１】
また、本実施例では、これら連通用開口部４５、４７、４８，４９などに、所定温度を越えた温度では、発泡膨張する公知の耐火性発泡剤が配置されている。
このような耐火性発泡剤が開口部近傍に介在されていれば、火事などが生じてしまった場合に、膨張発泡して開口部を封止することができる。
【００４２】
図３は、図１に示した建築物３０の換気状態を視覚的に示したものである。
上記したように、本実施例では、床下空間から１Ｆ，２Ｆ，３Ｆを通って屋根裏空４ｆ間に至るまでの壁体内通気層の気積Ａ１、Ａ２，Ａ３は、次第に小さくされているため、
上の階ほど換気回数が多くなる。
【００４３】
よって、小屋裏空間４ｆに設けた小屋裏換気部４８と床下空間６０に設けた床下換気部７０とを、気候に合わせて開とすれば、上の階の気積Ａ３ほど速く換気され、下の階のＡ１が最も遅く換気される。これによって、排熱効果と冷熱溜まり効果の両効果をバランス良く利用し、外壁の外気や日射に対する熱伝達抵抗をより効果的に発揮できる。
【００４４】
このように、本発明によれば、熱こもりが生じる上の階ほど速く空気を入れ替えて、下の階ほど床下空間の冷気を長い時間留めることができる。したがって、高気密・高断熱化された住宅であって、夏，冬にかかわらず、快適な温熱環境を形成することができ、どの階に人がいるとしても，心地よい居住空間を提供することができる。また、湿気の多い地方であっても、壁内に空気を導入することができることから、ダニ、カビの発生を防止し、シロアリ対策にも優れている。
【００４５】
以上、本発明の一実施例について説明したが、本発明は上記実施例に何ら限定されない。
例えば、上記実施例では、３階建ての住宅について説明したが、２階建てあるいは４階建ての住宅にも適用することができる。さらに、木造住宅に限定されず、スチールハウスなどにも適用可能である。
【００４６】
さらに、上記実施例では、木造在来軸組み工法を例にして説明したが、いわゆるツーバイフォーと称される枠組み壁工法にも適用可能である。
また、本発明は、いわゆる二重通気構造の住宅にも適用可能であり、その場合には、断熱材３４と外壁材３２ａとの間に外側通気層を形成すれば良い。
【００４７】
さらに、本発明は、外断熱構造の建築物に好ましく適用できるため、上記実施例では、基礎、壁、屋根とも外断熱構造となっているが、基礎、屋根などの断熱は、基礎内断熱、軒上断熱などであっても良い。
【００４８】
さらに、上記実施例では、外周基礎上の壁体を例示したが、外周基礎だけに限定されず、各部屋を仕切る壁体内にも本発明の構造を適用することができる。また、ベタ基礎、布基礎のいずれにも適用可能である。
【００４９】
さらに、上記実施例では、柱が壁体の内部にある大壁構造で説明したが、柱が外部に露出される真壁構造にも適用可能であることは勿論である。
また、図１に示した建築物３０において、小屋裏空間４ｆに設けた小屋裏換気部６８の他に、小屋裏換気回数を補助するための補助換気部を別途設けることもできる。その具体的な設置位置は、棟部、軒部、妻壁部分のどこでも良く、主に給気のために使用されるものである。このような補助的な換気設備を設けるとしても、１Ｆ，２Ｆ，３Ｆの換気回数が、n1≦ｎ２≦n3(n１<n3)であることに変わりはない。
【００５０】
なお、本発明では、例えば、３階建ての場合、１Ｆ，２Ｆ，３Ｆの壁厚をそれぞれｔ１、ｔ２、ｔ３としたとき、
ｔ１＞ｔ２＞ｔ３
となるように設定されていることが最も好ましいが、最低限ｔ１＞ｔ３の条件が満たされていれば、ｔ１=ｔ２、あるいはｔ２=ｔ３であっても良い。
【００５１】
すなわち、最上階を除く下層の階の壁体内通気層の壁厚は全て等しい場合でも最上階の壁厚が１Ｆの壁厚よりも狭ければ、同様の作用効果を奏することができる。
さらに、本発明では、壁厚ｔ１、ｔ２、ｔ３の場合と同様に、壁体内通気層の気積Ａ１
，Ａ２，Ａ３は、Ａ１＞Ａ２＞Ａ３
となるように設定されていることが最も好ましいが、最低限Ａ１＞Ａ３の条件が満たされていれば、Ａ１=Ａ２、あるいはＡ２=Ａ３であっても良い。
【００５２】
また、開口部の径α０、α１、α２、α３も同様に、
α０＞α１＞α２＞α３
となるように設定されていることが最も好ましいが、最低限α０＞α３の条件が満たされていれば、α０=α１=α２、あるいは、α０＞α１かつα１=α２などであっても良い
。
【００５３】
さらに、開口面積の総和に関しても同様で、例えば、床下空間、１Ｆ、２Ｆの開口面積の総和が等しくても、最上階である３Ｆの開口面積の総和がこれよりも小さければよい。
【図面の簡単な説明】
【００５４】
【図１】図１は本発明の一実施例に係る建築物を示した概略図である。
【図２】図２は図１の一部を拡大して示した断面図で、図２（Ａ）は２Ｆと３Ｆの間の取り合いを示した断面図、図２（Ｂ）は図２（Ａ）の矢印Ｂ−Ｂ方向の断面図、図２（Ｃ）は図２（Ｂ）の第１の変形例を示した図、図２（Ｄ）は図２（Ｂ）の第２の変形例を示した図である。
【図３】図３は本発明の一実施例に係る建築物の換気状態を模式的に示した概略図である。
【図４】図４は従来の建築物を示した概略図である。
【符号の説明】
【００５５】
２８                      外周布基礎
３０                      建築物
３２ａ                    外壁材
３２ｂ                    屋根材
３４                      断熱材
３６                      土台
３８,４０，４２            柱
４４、４６，５０          胴差
４５，４７,４８，４９      開口部
６０                      床下空間
６２，６４，６６          壁体内通気層
６８                      小屋裏換気部
７０                      床下換気部
【図１】
0004722650.tif 000002
【図２】
0004722650.tif 000003
【図３】
0004722650.tif 000004
【図４】
0004722650.tif 000005